(57)【要約】【課題】携帯機器によれば、文字を入力する手間を軽減することができ、文字を容易に入力することができる。【解決手段】所定の入力操作に基づき、任意の文字を入力する文字入力機構を複数具備し、文字入力機構の中心部及び周囲部に、所定の文字が一文字ずつ割り当てられている文字部が設けられ、文字入力機構は、文字部に割り当てられている所定の一文字を選択的に携帯機器に入力することを要旨とする。【選択図】　　　図２
2004127088.tif 000002
【特許請求の範囲】
【請求項１】
所定の入力操作に基づき、任意の文字を入力する文字入力機構を複数具備し、
前記文字入力機構の中心部及び周囲部に、所定の文字が一文字ずつ割り当てられている文字部が設けられ、
前記文字入力機構は、前記文字部に割り当てられている所定の一文字を選択的に携帯機器に入力することを特徴とする携帯機器。
【請求項２】
所定の入力操作に基づき、任意の文字を入力する文字入力機構を複数具備し、
前記文字入力機構の周囲部に、所定の文字が一文字ずつ割り当てられている文字部が設けられ、
前記文字入力機構は、前記文字部に割り当てられている所定の一文字を選択的に携帯機器に入力することを特徴とする携帯機器。
【請求項３】
前記文字入力機構に配置されている前記文字部には、五十音における１つの行に含まれる文字が、各々割り当てられていることを特徴とする請求項１又は請求項２に記載の携帯機器。
【請求項４】
前記文字入力機構により前記携帯機器に入力された文字を濁音に変換する濁音変換部と、
前記文字入力機構により前記携帯機器に入力された文字を半濁音に変換する半濁音変換部と、
前記文字入力機構により前記携帯機器に入力された文字を小さい文字に変換する小文字変換部と、
前記文字入力機構により前記携帯機器に入力された文字を全角に変換する全角変換部と、
前記文字入力機構により前記携帯機器に入力された文字を半角に変換する半角変換部とを具備することを特徴とする請求項１または請求項３に記載の携帯機器。
【請求項５】
前記濁音変換部および前記半濁音変換部および前記小文字変換部および前記全角変換部および前記半角変換部が１つの文字変換機構を構成し、前記文字変換機構は、当該文字変換機構の周囲部４箇所と中央部とに、前記濁音変換部および前記半濁音変換部および前記小文字変換部および前記全角変換部および前記半角変換部が各々配置されていることを特徴とする請求項４に記載の携帯機器。
【請求項６】
前記文字入力機構により前記携帯機器に入力される文字を平仮名に切り替える平仮名切替部と、
前記文字入力機構により前記携帯機器に入力される文字を片仮名に切り替える片仮名切替部と、
前記文字入力機構により前記携帯機器に入力される文字を英文の大文字に切り替える英文大文字切替部と、
前記文字入力機構により前記携帯機器に入力される文字を英文の小文字に切り替える英文小文字切替部と、
前記文字入力機構により前記携帯機器に入力される文字を数字に切り替える数字切替部とを具備することを特徴とする請求項１乃至請求項５に記載の携帯機器。
【請求項７】
前記平仮名切替部および前記片仮名切替部および前記英文大文字切替部および前記英文小文字切替部および前記数字切替部が１つの文字切替機構を構成し、
前記文字切替機構は、当該文字切替機構の周囲部４箇所と中央部とに、前記平仮名切替部および前記片仮名切替部および前記英文大文字切替部および前記小文字切替部および前記数字切替部が各々配置されていることを特徴とする請求項６に記載の携帯機器。
【発明の詳細な説明】
【０００１】
【発明の属する技術分野】
本発明は、文字入力機構を具備する携帯機器に関する。
【０００２】
【従来の技術】
従来、携帯機器には、当該携帯機器に文字を入力する文字入力部が複数配置されている。ここで、文字は、平仮名および片仮名および英文の大文字および英文の小文字および数字などである。
【０００３】
携帯電話等の携帯機器における五十音の文字の入力方法を例に挙げると、携帯電話等は、五十音の１つの行の文字のすべてが割り当てられている文字入力部を複数具備する。ここで、五十音の１つの行の文字のすべてとは、「あ行」を例に挙げると、「あ」および「い」および「う」および「え」および「お」である。
【０００４】
また、文字入力部は、当該文字入力部が連続して入力操作される回数に応じて、当該文字入力部に割り当てられている文字のいずれかを携帯電話等に入力することができる。
【０００５】
具体的には、五十音の「あ行」が割り当てられている文字入力部は、当該文字入力部が連続して入力操作される回数に応じて、「あ」または「い」または「う」または「え」または「お」を携帯電話等に入力する。
【０００６】
ここで、五十音の「あ行」が割り当てられている文字入力部は、例えば、当該文字入力部が１回入力操作される場合には「あ」を携帯電話等に入力し、当該文字入力部が２回連続して入力操作される場合には「い」を携帯電話等に入力し、当該文字入力部が３回連続して入力操作される場合には「う」を携帯電話等に入力し、当該文字入力部が４回連続して入力操作される場合には「え」を携帯電話等に入力し、当該文字入力部が５回連続して入力操作される場合には「お」を携帯電話等に入力する。
【０００７】
携帯電話等は、五十音のすべての行が各々割り当てられている文字入力部を具備し、当該文字入力部が複数回入力操作されることにより、五十音のすべての文字を携帯電話等に入力することができる。ここで、五十音のすべての行とは、「あ行」乃至「わ行」である。
【０００８】
なお、携帯電話等は、入力回数を減らすために、様々な文字入力システムが考えられている（特許文献１参照）。しかしながら、これらの文字入力システムは、１回の入力操作により五十音の文字を入力することができない。
【０００９】
また、携帯電話等以外の携帯機器における五十音の文字の入力方法を例に挙げると、携帯電話等以外の携帯機器は、五十音のすべての文字が各々割り当てられている文字入力部を具備するもの（五十音順キー配列キーボードなど）がある。ここで、五十音のすべての文字は、「あ」乃至「ん」である。文字入力部は、当該文字入力部が入力操作されることにより、当該文字入力部に割り当てられている文字を携帯機器に入力する。
【００１０】
このような携帯機器は、文字入力部に五十音のすべての文字が各々割り当てられているため、文字入力部を１回入力操作することにより、五十音のすべての文字を携帯機器に入力することができる。
【００１１】
さらに、携帯電話以外の携帯機器は、アルファベットのすべての文字が各々割り当てられている文字入力部を具備するもの（タイプライターキー配列キーボードなど）がある。文字入力部は、当該文字入力部が入力操作されることにより、当該文字入力部に割り当てられている文字を携帯機器に入力する。
【００１２】
このような携帯機器において、五十音の文字のすべては、予め割り当てられているアルファベットの文字の組合せと対応付けられている（ヘボン式ローマ字綴りなど）。例えば、五十音の文字「こ」は、アルファベットの文字の組合せ「ｋｏ」と対応付けられている。
【００１３】
このような携帯機器は、五十音の文字と対応付けられているアルファベットの文字の組合せを構成するアルファベットの文字が割り当てられている文字入力部を各々入力操作することにより、当該五十音の文字を携帯機器に入力することができる。例えば、このような携帯機器は、五十音の文字「こ」を入力する場合には、「こ」と対応付けられている「ｋ」および「ｏ」が割り当てられている文字入力部を各々入力操作することにより、「こ」を携帯機器に入力することができる。
【００１４】
【特許文献１】
特開２００２−１２３３６０
【００１５】
【発明が解決しようとする課題】
しかしながら、上述した従来の携帯電話等においては、携帯電話等は、文字入力部が複数回入力操作されないと携帯電話等に入力できない文字があるため、文字を入力する際に手間がかかるという問題があった。
【００１６】
また、携帯電話以外の携帯機器は、当該携帯機器に配置される文字入力部の数が多い。例えば、五十音順キー配列型のキーボードは、少なくとも４６個以上の文字入力部を必要とする。また、タイプライターキー配列型のキーボードは、少なくとも２６個以上の文字入力部を必要とする。一方、文字入力部を配置するスペースは、携帯機器の小型軽量化の進展により減少し、文字入力部も小さくなった。これにより、携帯機器は、小さくなった文字入力部により文字を入力するため、文字の入力がしにくいという問題があった。
【００１７】
そこで、本発明は以上の点に鑑みてなされたもので、文字を入力する手間を軽減することができ、文字を容易に入力することができる携帯機器を提供することを課題とする。
【００１８】
【課題を解決するための手段】
本発明の第１の特徴は、所定の入力操作に基づき、任意の文字を入力する文字入力機構を複数具備し、文字入力機構の中心部及び周囲部に、所定の文字が一文字ずつ割り当てられている文字部が設けられ、文字入力機構は、文字部に割り当てられている所定の一文字を選択的に携帯機器に入力することを要旨とする。
【００１９】
本発明の第２の特徴は、所定の入力操作に基づき、任意の文字を入力する文字入力機構を複数具備し、文字入力機構の周囲部に、所定の文字が一文字ずつ割り当てられている文字部が設けられ、文字入力機構は、文字部に割り当てられている所定の一文字を選択的に携帯機器に入力することを要旨とする。
【００２０】
かかる特徴によれば、文字入力機構は、文字部に割り当てられている所定の一文字を、所定の入力操作により携帯機器に選択的に入力することができる。
【００２１】
本発明の第３の特徴は、本発明の第１又は第２の特徴において、文字入力機構に配置されている文字部には、五十音における１つの行に含まれる文字が、各々割り当てられていることを要旨とする。
【００２２】
かかる特徴によれば、文字入力機構は、五十音における１つの行に含まれる文字の中から１つの文字を、所定の入力操作により携帯機器に選択的に入力することができる。
【００２３】
本発明の第４の特徴は、本発明の第１乃至第３の特徴において、文字入力機構により携帯機器に入力された文字を濁音に変換する濁音変換部と、文字入力機構により携帯機器に入力された文字を半濁音に変換する半濁音変換部と、文字入力機構により携帯機器に入力された文字を小さい文字に変換する小文字変換部と、文字入力機構により携帯機器に入力された文字を全角に変換する全角変換部と、文字入力機構により携帯機器に入力された文字を半角に変換する半角変換部とを具備することを要旨とする。
【００２４】
かかる発明によれば、携帯機器は、濁音変換部と半濁音変換部と小文字変換部と全角変換部と半角変換部とを各々独立に設けることにより、文字入力部により携帯機器に入力された文字を、濁音または半濁音または小さい文字または全角または半角に、容易に変換することができる。
【００２５】
本発明の第５の特徴は、本発明の第４の特徴において、濁音変換部および半濁音変換部および小文字変換部および全角変換部および半角変換部が１つの文字変換機構を構成し、文字変換機構は、当該文字変換機構の周囲部４箇所と中央部とに、濁音変換部および半濁音変換部および小文字変換部および全角変換部および半角変換部が各々配置されていることを要旨とする。
【００２６】
かかる特徴によれば、携帯機器は、濁音変換部および半濁音変換部および小文字変換部および全角変換部および半角変換部を、それぞれが個別に配置されている場合に比べ、より少ないスペースにて具備することができる。
【００２７】
本発明の第６の特徴は、本発明の第１乃至第５の特徴において、文字入力機構により携帯機器に入力される文字を平仮名に切り替える平仮名切替部と、文字入力機構により携帯機器に入力される文字を片仮名に切り替える片仮名切替部と、文字入力機構により携帯機器に入力される文字を英文の大文字に切り替える英文大文字切替部と、文字入力機構により携帯機器に入力される文字を英文の小文字に切り替える英文小文字切替部と、文字入力機構により携帯機器に入力される文字を数字に切り替える数字切替部とを具備することを要旨とする。
【００２８】
かかる発明によれば、携帯機器は、平仮名切替部と片仮名切替部と英文大文字切替部と英文小文字切替部と数字切替部とを各々独立に設けることにより、文字入力部により携帯機器に入力された文字を、平仮名または片仮名または英文大文字または英文小文字または数字に、容易に変換することができる。
【００２９】
本発明の第７の特徴は、本発明の第６の特徴において、平仮名切替部および片仮名切替部および英文大文字切替部および英文小文字切替部および数字切替部が１つの文字切替機構を構成し、文字切替機構は、当該文字切替機構の周囲部４箇所と中央部とに、平仮名切替部および片仮名切替部および英文大文字切替部および小文字切替部および数字切替部が各々配置されていることを要旨とする。
【００３０】
かかる発明によれば、携帯機器は、平仮名切替部および片仮名切替部および英文大文字切替部および英文小文字切替部および数字切替部を、それぞれが個別に配置されている場合に比べ、より少ないスペースにて具備することができる。
【００３１】
【発明の実施の形態】
［携帯機器の構成］
本発明の実施形態について図面を参照しながら説明する。図１は、本実施形態における携帯機器１を示すブロック図である。図１に示すように、携帯機器１は、複数の文字入力機構１０と文字変換機構２０と文字切替機構３０と制御部４０と表示部５０とを具備する。
【００３２】
図２は、本実施形態における文字入力機構１０を示す図である。文字入力機構１０には、図２に示すように、５つの文字部（１１ａ乃至１１ｅ）が配置されている。
【００３３】
文字部１１は、五十音のすべての文字が各々割り当てられているものである。ここで、五十音のすべての文字とは、「あ」乃至「ん」である。文字入力機構１０は、当該文字入力機構１０に配置されている文字部１１が所定の入力操作されることにより、当該文字部１１に割り当てられている五十音の文字を、制御部４０に送信する。ここで、所定の入力操作は、例えば、文字入力機構に配置されている文字部１１を押下する入力操作などである。
【００３４】
また、文字部１１は、アルファベットのすべての文字が各々設定されていてもよい。ここで、アルファベットのすべての文字とは、「ａ」乃至「ｚ」である。文字入力機構１０は、アルファベットの文字が割り当てられている場合には、当該文字入力機構１０に配置されている文字部１１が入力操作されることにより、当該文字部１１に割り当てられているアルファベットの文字を、制御部４０に送信する。
【００３５】
さらに、文字部１１は、「０」乃至「９」のすべての数字が各々設定されていてもよい。文字部１１は、「０」乃至「９」の数字が割り当てられている場合には、当該文字入力機構１０に配置されている文字部１１が入力操作されることにより、当該文字部１１に割り当てられている数字を、制御部４０に送信する。
【００３６】
例えば、文字部１１ａは、五十音の文字「あ」とアルファベットの文字「ａ」と数字「１」とが割り当てられている。文字入力機構１０は、当該文字入力機構１０に配置されている文字部１１ａが入力操作された場合に、五十音の「あ」とアルファベットの「ａ」と数字の「１」とを制御部４０に送信する。
【００３７】
また、文字部１１ｂは、五十音の文字「い」とアルファベットの文字「ｂ」とが割り当てられている。文字入力機構１０は、当該文字入力機構１０に配置されている文字部１１ｂが入力操作された場合に、五十音の「い」とアルファベットの「ｂ」を制御部４０に送信する。
【００３８】
また、文字部１１ｄは、五十音の文字「え」のみが割り当てられている。文字入力機構１０は、当該文字入力機構１０に配置されている文字部１１ｄが入力操作された場合に、五十音の「え」を制御部４０に送信する。
【００３９】
また、五十音の１つの行の文字が１つずつ割り当てられている文字部１１のすべては、１つの文字入力機構１０に各々配置されている。
【００４０】
文字入力機構１０は、当該文字入力機構１０に配置されている文字部１１が５つある場合には、当該文字入力機構１０の周囲部４箇所と中央部とに、当該文字入力機構１０を構成する文字部１１が任意の箇所に各々配置されている。ここで、文字入力機構１０の周囲部４箇所に各々配置されている文字部１１は、当該文字入力機構１０の円周１２近傍に等間隔にて各々配置されている。
【００４１】
五十音の「あ行」に対応する文字入力機構１０を例に挙げて説明すると、「あ行」に対応する文字入力機構１０には、当該文字入力機構１０の周囲部４箇所と中央部とに、「あ」および「い」および「う」および「え」および「お」が各々割り当てられている文字部（１１ａ乃至１１ｅ）が配置されている。
【００４２】
具体的には、「あ行」に対応する文字入力機構１０には、当該文字入力機構１０の中央部に「あ」が割り当てられている文字部１１ａが配置されている。また、「あ行」に対応する文字入力機構１０には、当該文字入力機構１０の円周１２近傍に「い」乃至「お」が割り当てられている文字部（１１ｂ乃至１１ｅ）が等間隔にて各々配置されている。
【００４３】
また、文字入力機構１０は、当該文字入力機構１０に配置されるべき文字部１１が５つ無い場合には、当該文字入力機構１０の周囲部４箇所と中央部との中からいずれか任意の箇所に、少なくとも当該文字入力機構１０に配置されるべき文字部１１が各々配置されていればよい。ここで、文字入力機構１０に配置されるべき文字部１１が５つ無い場合とは、例えば、文字入力機構１０が「や行」または「わ行」に対応している場合などである。
【００４４】
五十音の「や行」に対応する文字入力機構１０を例に挙げて説明すると、「や行」に対応する文字入力機構１０には、当該文字入力機構１０の周囲部４箇所と中央部との中から任意の３箇所に、「や」および「ゆ」および「よ」が割り当てられている文字部１１が各々配置されている。
【００４５】
また、「や行」に対応する文字部１１は、「や」および「ゆ」および「よ」が割り当てられている文字部１１が配置されていない箇所に、任意の文字部１１が配置されていてもよい。
【００４６】
なお、文字入力機構１０の文字部１１の配置は、本実施形態における文字部１１の配置に限定されるものではない。例えば、文字入力機構１０を構成する文字部１１は、当該文字入力機構１０の周囲部に等間隔にて各々配置されていてもよい。また、文字入力機構１０の形状が五角形であり、当該文字入力機構１０の文字部１１は、五角形の各頂点近傍に各々配置されていてもよい。
【００４７】
図３は、本実施形態における文字変換機構２０を示す図である。文字変換機構２０は、図３に示すように、濁音変換部２１と半濁音変換部２２と全角変換部２３と半角変換部２４と小文字変換部２５とにより構成されている。
【００４８】
文字変換機構２０は、当該文字変換機構２０の周囲部４箇所と中央部とに、濁音変換部２１および半濁音変換部２２および全角変換部２３および半角変換部２４および小文字変換部２５が任意の箇所に各々配置されている。
【００４９】
具体的には、文字変換機構２０は、当該文字変換機構２０の中央部に小文字変換部２５が配置されている。また、文字変換機構２０は、濁音変換部２１および半濁音変換部２２および全角変換部２３および半角変換部２４が当該文字変換機構２０の円周２６近傍に等間隔にて各々配置されている。
【００５０】
なお、文字変換機構２０を構成する濁音変換部２１および半濁音変換部２２および全角変換部２３および半角変換部２４および小文字変換部２５の配置は、本実施形態における配置に限定されるものではない。例えば、文字変換機構２０を構成する濁音変換部２１および半濁音変換部２２および全角変換部２３および半角変換部２４および小文字変換部２５は、当該文字変換機構２０の周囲部５箇所に等間隔にて各々配置されていてもよい。また、文字変換機構２０の形状が五角形であり、当該文字変換機構２０を構成する濁音変換部２１および半濁音変換部２２および全角変換部２３および半角変換部２４および小文字変換部２５は、五角形の各頂点近傍に各々配置されていてもよい。
【００５１】
濁音変換部２１は、文字入力機構１０により携帯機器１に入力された文字を濁音に変換する濁音変換信号を、濁音変換部２１が入力操作されることにより制御部４０に送信するものである。ここで、文字入力機構１０により携帯機器１に入力された文字は、五十音の文字およびアルファベットの文字および数字などである。
【００５２】
半濁音変換部２２は、文字入力機構１０により携帯機器１に入力された文字を半濁音に変換する半濁音変換信号を、半濁音変換部２２が入力操作されることにより制御部４０に送信するものである。
【００５３】
全角変換部２３は、文字入力機構１０により携帯機器１に入力された文字を全角に変換する全角変換信号を、全角変換部２３が入力操作されることにより制御部４０に送信するものである。
【００５４】
半角変換部２４は、文字入力機構１０により携帯機器１に入力された文字を半角に変換する半角変換信号を、半角変換部２４が入力操作されることにより制御部４０に送信するものである。
【００５５】
小文字変換部２５は、文字入力機構１０により携帯機器１に入力された文字を小さい文字に変換する小文字変換信号を、小文字変換部２５が入力操作されることにより制御部４０に送信するものである。
【００５６】
ここで、小さい文字は、例えば、促音を入力する際に用いる小さい「っ」、または、拗音を入力する際に用いる小さい「ゃ」などである。
【００５７】
図４は、本実施形態における文字切替機構を示す図である。文字切替機構３０は、図４に示すように、平仮名切替部３１と片仮名切替部３２と英文大文字切替部３３と英文小文字切替部３４と数字切替部３５とにより構成される。
【００５８】
文字切替機構３０は、当該文字切替機構３０の周囲部４箇所と中央部とに、平仮名切替部３１および片仮名切替部３２および英文大文字切替部３３および英文小文字切替部３４および数字切替部３５が任意の箇所に各々配置されている。
【００５９】
具体的には、文字切替機構３０は、当該文字切替機構３０の中央部に数字切替部３５が配置されている。また、文字切替部３０は、平仮名切替部３１および片仮名切替部３２および英文大文字切替部３３および英文小文字切替部３４が当該文字切替機構３０の円周３６近傍に等間隔にて各々配置されている。
【００６０】
なお、文字切替機構３０を構成する平仮名切替部３１および片仮名切替部３２および英文大文字切替部３３および英文小文字切替部３４および数字切替部３５の配置は、本実施形態における配置に限定されるものではない。例えば、文字切替機構３０を構成する平仮名切替部３１および片仮名切替部３２および英文大文字切替部３３および英文小文字切替部３４および数字切替部３５は、当該文字切替機構３０の周囲部５箇所に等間隔にて各々配置されていてもよい。また、文字切替機構３０の形状が五角形であり、当該文字切替機構３０を構成する平仮名切替部３１および片仮名切替部３２および英文大文字切替部３３および英文小文字切替部３４および数字切替部３５は、五角形の各頂点近傍に各々配置されていてもよい。
【００６１】
平仮名切替部３１は、文字入力機構１０により携帯機器１に入力される文字を平仮名に切り替える平仮名切替信号を、平仮名切替部３１が入力操作されることにより制御部４０に送信するものである。
【００６２】
片仮名切替部３２は、文字入力機構１０により携帯機器１に入力される文字を片仮名に切り替える片仮名切替信号を、片仮名切替部３２が入力操作されることにより制御部４０に送信するものである。
【００６３】
英文大文字切替部３３は、文字入力機構１０により携帯機器１に入力される文字を英文大文字に切り替える英文大文字切替信号を、英文大文字切替部３３が入力操作されることにより制御部４０に送信するものである。
【００６４】
英文小文字切替部３４は、文字入力機構１０により携帯機器１に入力される文字を英文小文字に切り替える英文小文字切替信号を、英文小文字切替部３４が入力操作されることにより制御部４０に送信するものである。
【００６５】
数字切替部３５は、文字入力機構１０により携帯機器１に入力される文字を数字に切り替える数字切替信号を、数字切替部３５が入力操作されることにより制御部４０に送信するものである。
【００６６】
制御部４０は、平仮名切替部３１より平仮名切替信号を受信した場合には、表示部５０上に平仮名を表示する平仮名表示モードとして動作する。
【００６７】
平仮名表示モードの制御部４０は、文字入力機構１０より受信した五十音の文字を平仮名に変換する。制御部４０は、制御部４０により変換された平仮名を表示部５０上に表示する。
【００６８】
制御部４０は、片仮名切替部３２より片仮名切替信号を受信した場合には、表示部５０上に片仮名を表示する片仮名表示モードとして動作する。
【００６９】
片仮名表示モードの制御部４０は、文字入力機構１０より受信した五十音の文字を片仮名に変換する。制御部４０は、制御部４０により変換された片仮名を表示部５０上に表示する。
【００７０】
制御部４０は、英文大文字切替部３３より英文大文字切替信号を受信した場合には、表示部５０上に英文大文字を表示する英文大文字モードとして動作する。
【００７１】
英文大文字モードの制御部４０は、文字入力機構１０より受信したアルファベットの文字を英文大文字に変換する。制御部４０は、制御部４０により変換された英文大文字を表示部５０上に表示する。
【００７２】
制御部４０は、英文小文字切替部３４より英文小文字切替信号を受信した場合には、表示部５０上に英文小文字を表示する英文小文字モードとして動作する。
【００７３】
英文小文字モードの制御部４０は、文字入力機構１０より受信したアルファベットの文字を英文小文字に変換する。制御部４０は、制御部４０により変換された英文小文字を表示部５０上に表示する。
【００７４】
制御部４０は、数字切替部３５より数字切替信号を受信した場合には、表示部５０上に数字を表示する数字モードとして動作する。
【００７５】
数字モードの制御部は、文字入力機構１０より受信した数字を表示部５０上に表示する。
【００７６】
制御部４０は、濁音変換部２１より濁音切変換号を受信した場合には、文字入力機構１０より受信した文字を濁音に変換する。ここで、制御部４０は、濁音に変換できない文字を文字入力機構１０より受信した場合には、濁音に変換しないものとする。
【００７７】
制御部４０は、半濁音変換部２２より半濁音変換信号を受信した場合には、文字入力機構１０より受信した文字を半濁音に変換する。ここで、制御部４０は、半濁音に変換できない文字を文字入力機構１０より受信した場合には、半濁音に変換しないものとする。
【００７８】
制御部４０は、全角変換部２３より全角変換信号を受信した場合には、文字入力機構１０より受信した文字を全角に変換する。
【００７９】
制御部４０は、半角変換部２４より半角変換信号を受信した場合には、文字入力機構１０より受信した文字を半角に変換する。
【００８０】
制御部４０は、小文字変換部２５より小文字変換信号を受信した場合には、文字入力機構１０より受信した五十音の文字を小さい文字に変換する。ここで、制御部４０は、小さい文字に変換できない文字を文字入力機構１０より受信した場合には、小さい文字に変換しないものとする。
【００８１】
表示部５０は、制御部４０により変換された文字を表示する。ここで、表示部５０に表示する文字は、平仮名および片仮名および英文大文字および英文小文字および数字などである。
【００８２】
図５は、本実施形態における携帯機器１の一例を示す図である。図５に示すように、携帯機器ａは、文字入力機構１０と文字変換機構２０と文字切替機構３０と制御部４０（図示せず）と表示部５０とを具備する。ここで、携帯機器ａは、例えば、携帯電話またはＰＨＳなどである。
【００８３】
携帯機器ａは、「あ」乃至「ん」が各々割り当てられている文字部１１を具備する。また、携帯機器ａの具備する文字部１１は、「０」乃至「９」が各々割り当てられている。なお、携帯機器ａの具備する文字部１１は、「ａ」乃至「ｚ」が設定されていてもよい。
【００８４】
携帯機器ａは、五十音の１つの行の文字が１つずつ割り当てられている文字部１１が各々配置されている文字入力機構１０を複数具備する。具体的には、携帯機器ａは、「あ行」乃至「わ行」に各々対応する文字入力機構１０を具備する。
【００８５】
図６は、本実施形態における携帯機器１の一例を示す図である。図６に示すように、携帯機器ｂは、文字入力機構１０と文字変換機構２０と文字切替機構３０と制御部４０（図示せず）と表示部５０とを具備する。ここで、携帯機器ｂは、例えば、ＰＤＡまたは電子辞書などである。
【００８６】
携帯機器ｂは、「あ」乃至「ん」が割り当てられている文字部１１を具備する。なお、携帯機器ａの具備する文字部１１は、「ａ」乃至「ｚ」が各々設定されていてもよい。なお、携帯機器ａの具備する文字部１１は、「０」乃至「９」が各々設定されていてもよい。
【００８７】
携帯機器ｂは、五十音の１つの行の文字が１つずつ割り当てられている文字部１１が各々配置されている文字入力機構１０を複数具備する。具体的には、携帯機器ｂは、「あ行」乃至「わ行」に各々対応する文字入力機構１０を具備する。
【００８８】
図７は、文字入力機構１０および文字変換機構２０および文字切替機構３０の一例を示す図である。図７に示すように、文字入力機構１０および文字変換機構２０および文字切替機構３０は、スティック部６１と本体部６２とを具備するものであってもよい（例えば、ジョイスティックタイプの入力装置）。
【００８９】
以下、文字入力機構１０がスティック部６１と本体部６２とにより構成されている場合を例に挙げて説明する。
【００９０】
文字入力機構１０を構成するスティック部６１は、当該文字入力機構１０を構成する本体部６２に対して垂直方向に押下されるものである。また、文字入力機構１０を構成するスティック部６１は、当該スティック部６１の周囲４方向のいずれかに倒されるものである。
【００９１】
文字入力機構１０を構成する本体部６２は、当該本体部６２の周囲部４箇所と中央部とに、五十音の１つの行の文字が１つずつ割り当てられている文字部（１１ａ乃至１１ｅ）が任意の箇所に各々配置されている。ここで、文字入力機構１０を構成する本体部６２は、当該本体部６２の周囲部４箇所に各々配置されている文字部（１１ｂ乃至１１ｅ）が当該本体部６２の円周１２近傍に等間隔にて各々配置されている。
【００９２】
ここで、文字入力機構１０を構成する本体部６２の中央部に配置されている文字部１１ａは、当該文字入力機構１０を構成するスティック部６１が当該本体部６２に対して垂直方向に押下された場合に、当該文字部１１ａに割り当てられている文字を携帯機器１に入力する。
【００９３】
また、文字入力機構１０を構成する本体部６２の周囲部４箇所に各々配置されている文字部（１１ｂ乃至１１ｅ）は、当該文字入力機構１０を構成するスティック部６１がいずれかの文字部（１１ｂ乃至１１ｅ）方向に倒された場合に、当該文字部（１１ｂ乃至１１ｅ）に割り当てられている文字を携帯機器１に入力する。
【００９４】
具体的には、「あ行」に対応する文字入力機構１０は、当該文字入力機構１０を構成する本体部６２の中央部に、「あ」が割り当てられている文字部１１ａが配置されている。
【００９５】
また、「あ行」に対応する文字入力機構１０は、当該文字入力機構１０を構成する本体部６２の円周１２近傍に、「い」乃至「お」が割り当てられている文字部（１１ｂ乃至１１ｅ）が等間隔にて各々配置されている。
【００９６】
ここで、「あ行」に対応する文字入力機構１０を構成する本体部６２の中央部に配置されている文字部１１ａは、当該文字入力機構１０を構成するスティック部６１が当該本体部６２に対して垂直方向に押下された場合に、文字部１１ａに割り当てられている「あ」を携帯機器１に入力する。
【００９７】
「あ行」に対応する文字入力機構１０を構成する本体部６２の円周１２近傍に配置されている文字部１１ｂは、当該文字入力機構１０を構成するスティック部６１が文字部１１ｂ方向に倒された場合に、文字部１１ｂに割り当てられている「い」を携帯機器１に入力する。
【００９８】
「あ行」に対応する文字入力機構１０を構成する本体部６２の円周１２近傍に配置されている文字部１１ｃは、当該文字入力機構１０を構成するスティック部６１が文字部１１ｃ方向に倒された場合に、文字部１１ｃに割り当てられている「う」を携帯機器１に入力する。
【００９９】
「あ行」に対応する文字入力機構１０を構成する本体部６２の円周１２近傍に配置されている文字部１１ｄは、当該文字入力機構１０を構成するスティック部６１が文字部１１ｄ方向に倒された場合に、文字部１１ｄに割り当てられている「え」を携帯機器１に入力する。
【０１００】
「あ行」に対応する文字入力機構１０を構成する本体部６２の円周１２近傍に配置されている文字部１１ｅは、当該文字入力機構１０を構成するスティック部６１が文字部１１ｅ方向に倒された場合に、文字部１１ｅに割り当てられている「お」を携帯機器１に入力する。
【０１０１】
なお、携帯機器１は、文字部１１により携帯機器１に入力された文字を漢字に変換する機能を具備していてもよい。
【０１０２】
［上述の携帯機器の動作］
上記構成を具備する携帯機器１による文字入力方法は、以下の手順により実施することができる。図７は、本実施形態における携帯機器１の動作を示すフローチャートである。
【０１０３】
ステップ１において、制御部４０は、平仮名切替部３１が入力操作された場合には、表示部５０に平仮名を表示する平仮名モードとして動作する。
【０１０４】
また、制御部４０は、片仮名切替部３２が入力操作された場合には、表示部５０に片仮名を表示する片仮名モードとして動作する。
【０１０５】
また、制御部４０は、英文大文字切替部３３が入力操作された場合には、表示部５０に英文大文字を表示する英文大文字モードとして動作する。
【０１０６】
また、制御部４０は、英文小文字切替部３４が入力操作された場合には、表示部５０に英文小文字を表示する英文小文字モードとして動作する。
【０１０７】
また、制御部４０は、数字切替部３５が入力操作された場合には、表示部５０に数字を表示する数字モードとして動作する。
【０１０８】
ここで、制御部４０は、動作モードのいずれかが予め設定されていてもよい。制御部４０は、予め割り当てられている動作モードと同一の動作モードが入力操作された場合には、ステップ１を省略してもよい。ここで、動作モードは、平仮名モードまたは片仮名モードまたは英文大文字モードまたは英文小文字モードまたは数字モードである。
【０１０９】
ステップ２において、制御部４０は、文字入力機構１０により入力された文字を表示部５０に表示する。具体的には、制御部４０は、文字入力機構１０より受信した文字を各種モードに従って文字に変換する。制御部４０は、制御部４０により変換された文字を表示部５０に表示する。
【０１１０】
ここで、表示部に表示する文字は、平仮名および片仮名および英文大文字および英文小文字および数字などである。
【０１１１】
ステップ３において、制御部４０は、濁音変換部２１または半濁音変換部２２が入力操作された場合には、ステップ４に進む。また、制御部４０は、濁音変換部２１および半濁音変換部２２がいずれも入力操作されない場合には、ステップ５に進む。
【０１１２】
ステップ４において、制御部４０は、濁音変換部２２が入力操作された場合には、表示部５０に表示されている文字を濁音に変換する。ここで、制御部４０は、濁音に変換できない文字が表示部５０に表示されている場合には、表示部５０に表示されている文字を変換しない。
【０１１３】
また、制御部４０は、半濁音変換部２２が入力操作された場合には、表示部５０に表示されている文字を半濁音に変換する。ここで、制御部４０は、半濁音に変換できない文字が表示部５０に表示されている場合には、表示部５０に表示されている文字を変換しない。
【０１１４】
ステップ５において、制御部４０は、小文字変換部２５が入力操作された場合には、ステップ６に進む。また、制御部４０は、小文字変換部２５が入力操作されない場合には、ステップ７に進む
ステップ６において、制御部４０は、表示部５０に表示されている文字を小さい文字に変更する。また、制御部４０は、表示部５０に小さい文字に変換できない文字が表示されている場合には、表示部５０に表示されている文字を変換しない。
【０１１５】
ステップ７において、制御部４０は、全角変換部２３または半角変換部２４が入力操作された場合には、ステップ８に進む。また、制御部４０は、全角変換部２３および半角変換部２４がいずれも入力操作されない場合には、ステップ９に進む。
【０１１６】
ステップ８において、制御部４０は、全角変換部２３が入力操作された場合には、表示部５０に表示されている文字を全角に変換する。
【０１１７】
また、制御部４０は、半角変換部２４が入力操作された場合には、表示部５０に表示されている文字を半角に変換する。
【０１１８】
ステップ９において、携帯機器１は、次の文字が入力される場合には、ステップ１に戻る。
【０１１９】
なお、ステップ３およびステップ４とステップ５およびステップ６とステップ７およびステップ８との順番は、任意に入れ替えられるものとする。
【０１２０】
［携帯機器による作用および効果］
本実施形態に係る携帯機器１によれば、文字入力機構は、文字部に割り当てられている所定の一文字を、所定の入力操作により携帯機器に選択的に入力することができる。
【０１２１】
本実施形態に係る携帯機器１によれば、文字入力機構は、五十音における１つの行に含まれる文字の中から１つの文字を、所定の入力操作により携帯機器に選択的に入力することができる。
【０１２２】
本実施形態に係る携帯機器１によれば、携帯機器は、濁音変換部と半濁音変換部と小文字変換部と全角変換部と半角変換部とを各々独立に設けることにより、文字入力機構により携帯機器に入力された文字を、濁音または半濁音または小さい文字または全角または半角に、容易に変換することができる。
【０１２３】
本実施形態に係る携帯機器１によれば、携帯機器は、濁音変換部および半濁音変換部および小文字変換部および全角変換部および半角変換部を、それぞれが個別に配置されている場合に比べ、より少ないスペースにて具備することができる。
【０１２４】
本実施形態に係る携帯機器１によれば、携帯機器は、平仮名切替部と片仮名切替部と英文大文字切替部と英文小文字切替部と数字切替部とを各々独立に設けることにより、文字入力機構により携帯機器に入力された文字を、平仮名または片仮名または英文大文字または英文小文字または数字に、容易に変換することができる。
【０１２５】
本実施形態に係る携帯機器１によれば、携帯機器は、平仮名切替部および片仮名切替部および英文大文字切替部および英文小文字切替部および数字切替部を、それぞれが個別に配置されている場合に比べ、より少ないスペースにて具備することができる。
【０１２６】
【発明の効果】
以上説明したように、本発明によれば、文字を入力する手間を軽減することができ、文字を容易に入力することができる携帯機器を提供することができる。
【図面の簡単な説明】
【図１】本実施形態における携帯機器１を示すブロック図である。
【図２】本実施形態における文字入力機構１０を示す図である。
【図３】本実施形態における文字変換機構２０を示す図である。
【図４】本実施形態における文字切替機構３０を示す図である。
【図５】本実施形態における携帯機器を示す概略図である。（その１）
【図６】本実施形態における携帯機器を示す概略図である。（その２）
【図７】本実施形態における文字入力機構１０、文字変換機構２０、文字切替機構３０の１例を示す斜視図である。
【図８】本実施形態における携帯機器の動作を示すフローチャートである。
【符号の説明】
１・・・携帯機器、２・・・携帯機器ａ、３・・・携帯機器ｂ、１０・・・文字入力機構、１１・・・文字部、１２・・・円周、２０・・・文字変換機構、２１・・・濁音変換部、２２・・・半濁音変換部、２３・・・全角変換部、２４・・・半角変換部、２５・・・小文字変換部、２６・・・円周、３０・・・文字切替機構、３１・・・平仮名切替部、３２・・・片仮名切替部、３３・・・英文大文字切替部、３４・・・英文小文字切替部、３５・・・数字切替部、３６・・・円周、４０・・・制御部、５０・・・表示部、６１・・・スティック部、６２・・・本体部
【図１】
2004127088.tif 000003
【図２】
2004127088.tif 000004
【図３】
2004127088.tif 000005
【図４】
2004127088.tif 000006
【図５】
2004127088.tif 000007
【図６】
2004127088.tif 000008
【図７】
2004127088.tif 000009
【図８】
2004127088.tif 000010